(57)【要約】      （修正有）【課題】加えられる外力に対応して一定角度で傾くことを補償できるフローティング構造のプローブ装置を提供する。【解決手段】フローティング構造のプローブ装置は、一端に電気的信号を伝達するニードルが挿入される溝１２０が形成され、他端にガイド部１４０が形成されるプローブユニット１００、及び前記ガイド部が挿入され、前記ガイド部の一部を支持するように形成される内部空間が備えられるプレートユニット２００を含み、前記ガイド部は、前記ニードルに加えられる外力によって前記内部空間から一定間隔離隔されることがある。【選択図】図１
2020134529.tif 000002
【特許請求の範囲】
【請求項１】
一端に電気的信号を伝達するニードルが挿入される溝が形成され、他端にガイド部が形成されるプローブユニット；及び
前記ガイド部が挿入され、前記ガイド部の一部を支持するように形成される内部空間が備えられるプレートユニット；
を含み、
前記ガイド部は、前記ニードルに加えられる外力によって前記内部空間から一定間隔離隔されることを特徴とするフローティング構造のプローブ装置。
【請求項２】
前記プローブユニットは、
前記ニードルに加えられる外力を前記ガイド部に伝達したり前記ニードルに加えられる外力が排除される場合、前記ガイド部が前記内部空間に接するように備えられる弾性部；
を含む請求項１に記載のフローティング構造のプローブ装置。
【請求項３】
前記ガイド部は、
一部が長手方向に行くほど幅が大きくなるように形成されることを特徴とする請求項１に記載のフローティング構造のプローブ装置。
【請求項４】
一端に電気的信号を伝達するニードルが挿入される溝が形成され、他端にガイド部が形成されるプローブユニット；
一端部に前記ガイド部の一部が挿入されて取り付けられるプレートユニット；及び
前記プローブユニットの他端と前記プレートユニットの一端を連結し、前記ニードルに加えられる外力によって収縮弛緩されるように形成される弾性ユニット；
を含むフローティング構造のプローブ装置。
【請求項５】
前記ガイド部は、
一端部が球状で形成されるガイド部材；及び
前記ガイド部材を収容するように形成される収容空間；
を含む請求項４に記載のフローティング構造のプローブ装置。
【請求項６】
前記弾性ユニットは、複数個が備えられて前記外力によって前記プローブユニットの軸が前記ガイド部の軸を基準にして傾くことを特徴とする請求項４に記載のフローティング構造のプローブ装置。
【請求項７】
前記プレートユニットは、
前記ガイド部が挿入されて取り付けられるプレート部材；及び
前記外力が排除される場合、前記プレート部材に復元力を提供するスプリング部材；
を含む請求項４に記載のフローティング構造のプローブ装置。
【発明の詳細な説明】
【技術分野】
【０００１】
本発明は、フローティング構造のプローブ装置に係り、より詳しくは、加えられる外力に対応して一定角度で傾くことを補償できるフローティング構造のプローブ装置に関する。
【背景技術】
【０００２】
半導体チップは、ウェハー上に回路パターンを形成する工程と、回路パターンが形成されたウェハーをそれぞれバッテリーパックはそれぞれのセルをモジュールで組み立て、そのモジュールのアセンブリ工程を通じて製造され、製造工程とアセンブリ工程との間にはそれぞれのセルの電気的特性を検査するためにプローブ装置が複数使われている。
【０００３】
しかし、従来のほとんどのプローブ装置は、接触される部分が点で接触されることで、電流を流した時に点の接触部分で過電流現象が発生する問題があった。このような過電流現象はスパークを引き起こして製品不良の原因もなった。
【０００４】
これの解決策として、点接触ではなく全体面を均等に接触させる面接触のプローブ装置がある。しかし、このような面接触のプローブ装置の場合、端子を組み立てる時に傾いて組み立てられるおそれがある問題がある。
【０００５】
また、前記面接触のプローブ装置は、外力によって曲がる度合いに対する補償がないため、パック端子に接続させるためにニードルに外力が加えられる場合、外力の大きさと方向によってニードルが曲がる場合があり、ニードルが曲がることによって端子に悪影響を及ぼす問題があった。
【先行技術文献】
【特許文献】
【０００６】
【特許文献１】韓国登録特許第１０−１３３４４５８号公報
【発明の概要】
【発明が解決しようとする課題】
【０００７】
本発明は、上述した従来技術の問題点を解決するために案出された発明であって、ニードルに加えられる外力を補償できるフローティング構造のプローブ装置を提供するためのものである。
【０００８】
また、外力が排除される場合、傾きに対する復元力を提供することができるフローティング構造のプローブ装置を提供するためのものである。
【０００９】
本発明の課題は以上で言及した課題に制限されず、言及されていない別の課題は以下の記載から当業者に明確に理解されることができる。
【課題を解決するための手段】
【００１０】
前記目的を達成するための本発明のフローティング構造のプローブ装置は、一端に電気的信号を伝達するニードルが挿入される溝が形成され、他端にガイド部が形成されるプローブユニット及び前記ガイド部が挿入され、前記ガイド部の一部を支持するように形成される内部空間が備えられるプレートユニットを含み、前記ガイド部は前記ニードルに加えられる外力によって前記内部空間から一定間隔離隔されることを特徴とする。
【００１１】
この時、前記プローブユニットは、前記ニードルに加えられる外力を前記ガイド部に伝達したり前記ニードルに加えられる外力が排除される場合、前記ガイド部が前記内部空間に接するように備えられる弾性部を含むことができる。
【００１２】
そして、前記ガイド部は、一部が長手方向に行くほど幅が大きくなるように形成されることを特徴とする。
【００１３】
前記目的を達成するための本発明のフローティング構造のプローブ装置は、一端に電気的信号を伝達するニードルが挿入される溝が形成され、他端にガイド部が形成されるプローブユニット、一端部に前記ガイド部の一部が挿入されて取り付けられるプレートユニット、及び前記プローブユニットの他端と前記プレートユニットの一端を連結し、前記ニードルに加えられる外力によって収縮弛緩されるように形成される弾性ユニットを含むことができる。
【００１４】
この時、前記ガイド部は、一端部が球状に形成されるガイド部材及び前記ガイド部材を収容するように形成される収容空間を含むことができる。
【００１５】
そして、前記弾性ユニットは複数個が備えられて前記外力によって前記プローブユニットの軸が前記ガイド部の軸を基準にして傾くことを特徴とする。
【００１６】
または、前記プレートユニットは、前記ガイド部が挿入されて取り付けられるプレート部材及び前記外力が排除される場合、前記プレート部材に復元力を提供するスプリング部材を含むことができる。
【発明の効果】
【００１７】
前記課題を解決するための本発明のフローティング構造のプローブ装置は、次のような効果がある。
【００１８】
第一、外力に対応してプレートユニットを基準とするプローブユニットの傾きを補償することができる。
【００１９】
第二、外力が排除される場合、復元力を提供することで外力が加えられる前の状態でプローブ装置を復元することができる。
【００２０】
本発明の効果は以上で言及した効果に制限されず、言及されていない別の効果は請求範囲の記載から当業者に明確に理解されることができる。
【図面の簡単な説明】
【００２１】
【図１】本発明におけるフローティング構造のプローブ装置の第１実施例である。
【図２】本発明におけるフローティング構造のプローブ装置の第１実施例である。
【図３】本発明におけるフローティング構造のプローブ装置の第１実施例である。
【図４】本発明におけるフローティング構造のプローブ装置の第１実施例である。
【図５】本発明におけるフローティング構造のプローブ装置の第２実施例である。
【図６】本発明におけるフローティング構造のプローブ装置の第２実施例である。
【図７】本発明におけるフローティング構造のプローブ装置の第２実施例である。
【発明を実施するための形態】
【００２２】
以下、本発明の目的が具体的に実現できる本発明の好ましい実施例を添付の図面を参照して説明する。本実施例を説明するにあたり、同一構成に対しては同一名称及び同一符号が使われ、これによる付加説明は省略する。
【００２３】
また、本発明の実施例を説明するにあたり、同一機能を有する構成要素に対しては、同一名称及び同一符号を使うだけであって、実質的には従来と完全に同一ではないことを予め明らかにする。
【００２４】
また、本発明の実施例で使用した用語は、単に特定実施例を説明するために使われたものであって、本発明を限定する意図ではない。単数表現は文脈上明らかに異なる意味を持たない限り、複数表現を含む。
【００２５】
また、本発明の実施例において、「含む」または「有する」などの用語は、明細書上に記載された特徴、数字、段階、動作、構成要素、部品またはこれらを組み合わせたものが存在することを指定するためであって、一つまたはそれ以上の別の特徴や数字、段階、動作、構成要素、部品またはこれらを組み合わせたものの存在または付加可能性を予め排除しないものとして理解しなければならない。
【００２６】
図１ないし図４を参照して本発明のフローティング構造のプローブ装置の第１実施例について説明する。図１ないし図４は、本発明におけるフローティング構造のプローブ装置の第１実施例である。
【００２７】
第１実施例によると、本発明のフローティング構造のプローブ装置は、プローブユニット及びプレートユニットを含むことができる。
【００２８】
プローブユニットは、一端に電気的信号を伝達するニードルが挿入される溝が形成され、他端にガイド部が形成されることができる。
【００２９】
前記ニードルは端子に入力されるチップのような役目をし、接触される面積や方式は多様に行われてもよい。前記溝は、前記ニードルが接する面積や方式に対応して形成されることができ、前記ニードルは、前記溝に組み合わせられることで電気的信号を伝達することができる。
【００３０】
前記ガイド部は、前記プローブユニットに加えられる外力によって傾く変形を補償することができる。
【００３１】
プレートユニットは、前記ガイド部が挿入され、前記ガイド部の一部を支持するように形成される内部空間が備えられることができる。
【００３２】
すなわち、前記プレートユニットの内部空間に前記ガイド部の少なくとも一部が位置することができる。前記プレートユニットは、図１のようにパック端子台の一部であるか、またはパック端子台に組み合わせられる部品であってもよく、多様に構成されることができる。
【００３３】
前記ガイド部と前記プレートユニットの関係に対し、前記ガイド部は、前記ニードルに加えられる外力によって前記内部空間から一定間隔離隔されることがある。
【００３４】
具体的には、前記ニードルが前記溝と組み合わせられない、つまり、前記ニードルが前記溝から排除された状態で前記ガイド部の一部が前記内部空間の一部と接するように備えられることができる。よって、前記内部空間は、前記ガイド部の形状に対応するように形成されることが好ましい。ただし、前記のような機能を遂行することができれば、内部空間の形状は限定されない。
【００３５】
そして、前記ニードルが前記溝に組み合わせられながら加えられる外力によって前記ガイド部は前記内部空間から一定間隔離隔されることができる。
【００３６】
この時、前記プローブユニットは、弾性部をさらに含むことができる。
【００３７】
弾性部は、前記ニードルに加えられる外力を前記ガイド部に伝達したり、前記ニードルに加えられる外力が排除される場合、前記ガイド部が前記内部空間に接するように備えられることができる。
【００３８】
具体的には、前記ニードルが外力によって前記溝に組み合わせられる場合、前記弾性部は前記ガイド部が前記内部空間から一定間隔離隔されるように前記外力を前記ガイド部に伝達することができる。
【００３９】
また、前記ニードルが前記溝から排除される場合、前記弾性部は、前記ガイド部の一部が前記内部空間の一部と接して支持されるよう、前記ガイド部に復元力を提供することができる。
【００４０】
前記弾性部によって前記ガイド部が前記内部空間から一定間隔離隔されることによって、本発明は前記ニードルが前記溝に組み合わせられながら発生する前記ガイド部の軸の傾きを補償することができる。
【００４１】
具体的には、図４のように、前記外力が加えられる方向によって前記溝が形成される前記プローブユニットの軸は前記プレートユニットの軸に対して傾くようになる。この時、前記ガイド部は前記プレートユニットから一定間隔離隔されることで、前記離隔された空間が傾く前記ガイド部によって満たされるまで、前記ガイド部は傾いて外力に対応することができる。
【００４２】
前記のような効果を実現できるように、前記ガイド部は一部が長手方向に行くほど幅が大きくなるように形成されることができる。
【００４３】
例えば、前記ガイド部は断面が台形からなる円錐形状で形成されることが好ましい。ただし、これは一つの例に過ぎず、前記形状に制限されることではない。
【００４４】
以下では、図５ないし図７を参照して本発明のフローティング構造のプローブ装置の第２実施例について説明する。図５ないし図７は、本発明におけるフローティング構造のプローブ装置の第２実施例である。
【００４５】
第２実施例によると、本発明のフローティング構造のプローブ装置は、プローブユニット、プレートユニット及び弾性ユニットを含むことができる。
【００４６】
プローブユニットは、一端に電気的信号を伝達するニードルが挿入される溝が形成され、他端にガイド部が形成されることができる。
【００４７】
前記ニードルは端子に入力されるチップのような役目をすることができ、接触される面積や方式は多様に行われることができる。前記溝は前記ニードルが接する面積や方式に対応して形成されることができ、前記ニードルは前記溝に組み合わせられることで電気的信号を伝達することができる。
【００４８】
前記ガイド部は、ガイド部材及び収容空間を含むことができる。
【００４９】
前記ガイド部材は、一端部が球状で形成されることが好ましい。ただし、前記形状に制限されることではない。
【００５０】
前記収容空間は、前記ガイド部材を収容するように形成されることができる。
【００５１】
前記収容空間は、前記ガイド部材の形状に対応して形成されることが好ましい。例えば、図５ないし図７によると、前記ガイド部材は球状で形成され、前記収容空間は前記ガイド部材の少なくとも一部を包む形態で形成され、前記ガイド部材は前記収容空間で自在に回転することができる。
【００５２】
プレートユニットは、一端部に前記ガイド部の一部が挿入されて取り付けられることができる。
【００５３】
すなわち、前記ガイド部の一部が前記プレートユニット内に位置することができる。前記プレートユニットは、パック端子台の一部であるか、またはパック端子台に組み合わせられる部品であってもよく、多様に構成されることができる。
【００５４】
この時、前記プレートユニットは、プレート部材及びスプリング部材を含むことができる。
【００５５】
プレート部材は、前記ガイド部が挿入されて取り付けられることができる。
【００５６】
前記ガイド部の一部は、収容空間に位置するガイド部材に対向するように前記プレート部材に固定されることができる。よって、前記ガイド部は、外力が加えられる場合にも前記プレートユニットに対して軸が一定することができる。
【００５７】
前記スプリング部材は、前記外力が排除される場合、前記プレート部材に復元力を提供することができる。
【００５８】
すなわち、前記ニードルが前記溝から除去される場合、前記スプリング部材は、前記プレート部材が前記ニードルが前記溝に組み合わせられる前の状態に復元されるよう、前記プレート部材に復元力を提供することができる。
【００５９】
そして、弾性ユニットは、前記プローブユニットの他端と前記プレートユニットの一端を連結し、前記ニードルに加えられる外力によって収縮弛緩されるように形成されることができる。
【００６０】
例えば、前記弾性ユニットは、複数個が備えられて前記外力によって前記プローブユニットの軸が前記ガイド部の軸を基準にして傾くように形成されることができる。
【００６１】
図６及び図７で分かるように、ニードルが溝に組み合わせられる時、前記ニードルに加えられる外力の方向によって前記弾性ユニットは収縮弛緩することができる。よって、前記弾性ユニットと前記ガイド部材との連動によって、本発明は前記ニードルが前記溝に組み合わせられながら発生する前記ガイド部の一部の軸の傾きを補償することができる。
【００６２】
具体的には、図６のように、前記ガイド部の一部の軸が前記プレートユニットを基準にして左側に傾く場合も、左側の弾性ユニットは収縮され、右側の弾性ユニットは弛緩されると同時に、前記ガイド部材は前記収容空間で自在に回転することができるので、前記傾きを補償することができる。
【００６３】
また、図７のように、前記ガイド部の一部の軸が前記プレートユニットを基準にして右側に傾く場合も、左側の弾性ユニットは弛緩され、右側の弾性ユニットは収縮されると同時に、前記ガイド部材は前記収容空間で自在に回転することができるので、前記傾きを補償することができる。
【００６４】
以上のように、本発明による好ましい実施例を詳察してみたところ、前述した実施例以外も本発明がその趣旨や範疇から脱することがなく、他の特定形態で具体化されることができるという事実は該当技術に通常の知識を有する者には自明なことである。よって、上述した実施例は制限的なものではなく、例示的な者として認められるべきであり、これによって本発明は前述した説明に限定されず、添付の請求項の範疇及びそれ同等の範囲内で変更されることもできる。
【符号の説明】
【００６５】
１０  ：パック端子台
１００：プローブユニット
１２０：溝
１４０：ガイド部
１６０：弾性部
２００：プレートユニット
２２０：内部空間
３００：プローブユニット
３２０：溝
３４０：ガイド部
３４２：ガイド部材
３４４：収容空間
４００：プレートユニット
４２０：プレート部材
４４０：スプリング部材
５００：弾性ユニット
【図１】
2020134529.tif 000003
【図２】
2020134529.tif 000004
【図３】
2020134529.tif 000005
【図４】
2020134529.tif 000006
【図５】
2020134529.tif 000007
【図６】
2020134529.tif 000008
【図７】
2020134529.tif 000009